(57)【要約】　　　（修正有）【課題】ラベル貼付作業者による採血管の選択ミスやラベル貼付位置の間違いを排除することができる採血管用ラベル及び採血管用ラベル印刷装置を提供する。【解決手段】採血管用ラベル印刷装置は、台紙１ａと、台紙に剥離可能に積層された粘着層を有する表示体１ｂとから成り、表示体が、採血管に貼り付けるべきラベル部分１ｃと、採血管に関する情報を表示するべき情報表示部分１ｄとを有し、様々な採血管の画像情報を記憶する記憶手段２を備え、患者の採血に用いる採血管の種類に関する情報と、採血管に貼り付けるべきラベル部分に印字するための患者の採血に関する情報とを入力し、その採血管に対応する画像を選択し、表示体の情報表示部分に印字すると共に、ラベル部分に、患者の採血に関する情報を印字するように構成されている。【選択図】　図１
0003098179.tif 000002
【実用新案登録請求の範囲】
【請求項１】
台紙と、台紙に剥離可能に積層された粘着層を有する表示体とから成るラベルであって、
前記表示体が、採血管に貼り付けるべきラベル部分と、このラベル部分を貼り付けるべき採血管に関する情報が印字された情報表示部分とを有し、
前記ラベル部分が単独で剥離可能に構成されている
ことを特徴とする採血管用ラベル。
【請求項２】
前記情報表示部分に、ラベル部分を貼り付けるべき採血管の画像情報が印字されている
ことを特徴とする請求項１に記載の採血管用ラベル。
【請求項３】
前記情報表示部分に、採血管に対するラベル貼付位置が印字されている
ことを特徴とする請求項１又は２に記載の採血管用ラベル。
【請求項４】
台紙と、台紙に剥離可能に積層された粘着層を有する表示体とから成り、前記表示体が、採血管に貼り付けるべきラベル部分と、このラベル部分を貼り付けるべき採血管に関する情報を表示するべき情報表示部分とを有し、前記ラベル部分が単独で剥離可能に構成されている採血管用ラベル台紙に、患者の採血に関する情報を印字する印刷装置であって、
様々な採血管の画像情報を記憶する記憶手段を備え、
患者の採血に用いる採血管の種類に関する情報と、採血管に貼り付けるべきラベル部分に印字するための患者の採血に関する情報とを入力し、
前記患者の採血に用いる採血管の種類に関する情報に基づいて、前記記憶手段に記憶された画像情報の中から、その採血管に対応する画像を選択し、選択した画像を前記表示体の情報表示部分に印字すると共に、前記ラベル部分に、患者の採血に関する情報を印字する
ように構成されている
ことを特徴とする採血管用ラベル印刷装置。
【請求項５】
前記記憶手段が、採血管に対してラベルを貼り付けるべき位置に関する情報を予め記憶しており、
前記表示体の情報表示部分に、画像と共に、貼付け位置を印字する
ように構成されている
ことを特徴とする請求項４に記載の採血管用ラベル印刷装置。
【考案の詳細な説明】
【０００１】
【考案の属する技術分野】
本考案は、患者の採血に必要な採血管に採血前に貼り付けるべき採血管用ラベルと、この採血管用ラベルを印刷するための印刷装置の改良に関する。
【０００２】
【従来の技術】
採血後の採血管は、患者を特定するための何らかの情報を付けておかなければ、どの患者から採血したものか否かが分からなくなるため、採血前に予め採血管に採血すべき患者の氏名を記入する等して採血後の採血管を識別することができるようにしている。
また、近年は、殆どの場合、採血管に真空採血管が利用されるが、この真空採血管は、予め内部に反応薬や処理液等が収容されているため、検査の種類毎に専用の真空採血管が用意されている。従って、患者から採血を行う場合には、その患者の検査に利用可能な真空採血管を予め選択しておかなければならない。
このため、看護婦等の病院スタッフは、患者から採血を行う前に、予め、患者の検査に利用可能な真空採血管を、複数種類の採血管の中から選択して取り出し、取り出した各採血管に採血すべき患者の氏名を書き込むという非常に煩雑で神経を使う作業を強いられることになる。
これを解決するために採血管の準備を自動化することが可能な採血管自動準備装置を出願人は既に提案している。
この採血管準備装置は、予め装置に複数種類の採血管を収納しておき、その中から患者の採血に必要な採血管を選択して取り出すと共に、取り出した採血管に対応する患者に関する情報をラベルに印字して採血管に貼り付け、ラベル貼付後の採血管を患者毎にトレイや袋に収容するように構成されている。
【０００３】
【考案が解決しようとする課題】
このように構成された採血管自動準備装置を用いれば、患者の検査に必要な採血管を、患者氏名等が印字されたラベルを貼り付けた状態で患者毎に自動的に準備することができ、採血前の準備作業を病院スタッフが行う必要はなくなる。
しかし、検査に用いるべき採血管の種類は非常に多くの種類があり、全種類の採血管へのラベルの貼付けを前記採血管自動準備装置で行うためには、膨大な種類の採血管を収納しておけるように採血管自動準備装置を構成しなければならないので、実際には不可能である。
このため、通常、検査に頻繁に使用する種類の採血管を前記採血管自動準備装置にセットしておき、それ以外の採血管が必要になった場合には、別途印刷装置で手張用ラベルを印刷し出力するように構成されている。
また、上記した採血管自動準備装置を持たない施設であっても、ラベルに手で患者名等を記入する手間や、それによる間違いだけを減らすために、印刷装置で印刷した手張用ラベルのみを使用している施設もある。
しかし、このように、ラベルを人間の手で貼り付ける場合、患者の検査に必要な採血管を、採血指示書等に基づいて、多種類の採血管の中から選択して取り出さなければならないが、採血指示書等に単に採血管の種類に関する情報が文字のみで印字されている場合には、読み間違い等により採血管を選択し間違える可能性がある。
また、採血指示書とラベルが別体になっているため、採血指示書を紛失してしまった場合等には、採血管を選択することさえできなくなる。
そして、このようなラベルは、採血後に、自動分析器にセットして自動分析器でラベルの情報を読み取るために採血管に貼り付けられることが多いため、ラベルの貼付け位置がずれていたりすると、分析装置でラベルの情報を読み取ることができない等の問題も生じる。先に述べたように、採血管の種類は非常に多く、その長さも様々なものがあるため、採血管毎に、分析装置で情報を確実に読み取ることができる位置が異なる。このため、ラベルの貼付け位置のずれが生じる可能性は極めて高い。
本考案は、上記した従来の問題点を解決し、ラベル貼付作業者による採血管の選択ミスやラベル貼付位置の間違いを排除することができる採血管用ラベル及び採血管用ラベル印刷装置を提供することを目的としている。
【０００４】
【課題を解決するための手段】
上記した目的を達成するために本考案に係る採血管用ラベルは、台紙と、台紙に剥離可能に積層された粘着層を有する表示体とから成るラベルであって、前記表示体が、採血管に貼り付けるべきラベル部分と、このラベル部分を貼り付けるべき採血管に関する情報が印字された情報表示部分とを有し、前記ラベル部分が単独で剥離可能に構成されていることを特徴とする。
前記情報表示部分には、ラベル部分を貼り付けるべき採血管が印字され得る。
また、情報表示部分に、採血管に対するラベル貼付位置が印字されて得る。
さらに、本考案に係る採血管用ラベル印刷装置は、台紙と、台紙に剥離可能に積層された粘着層を有する表示体とから成り、前記表示体が、採血管に貼り付けるべきラベル部分と、このラベル部分を貼り付けるべき採血管に関する情報を表示するべき情報表示部分とを有し、前記ラベル部分が単独で剥離可能に構成されている採血管用ラベル台紙に、患者の採血に関する情報を印字する印刷装置であって、様々な採血管の画像情報を記憶する記憶手段を備え、患者の採血に用いる採血管の種類に関する情報と、採血管に貼り付けるべきラベル部分に印字するための患者の採血に関する情報とを入力し、前記患者の採血に用いる採血管の種類に関する情報に基づいて、前記記憶手段に記憶された画像情報の中から、その採血管に対応する画像を選択し、選択した画像を前記表示体の情報表示部分に印字すると共に、前記ラベル部分に、患者の採血に関する情報を印字するように構成されている。
前記記憶手段に、採血管に対してラベルを貼り付けるべき位置に関する情報を予め記憶させておき、前記表示体の情報表示部分に、画像と共に、貼付け位置を印字するように構成してもよい。
【０００５】
【考案の実施の形態】
以下、添付図面に示した一実施例を参照して本考案に係る採血管用ラベル及び採血管用ラベル印刷装置の実施の形態について説明する。
【０００６】
図１（ａ）は、本考案に係る採血管用ラベル印刷装置の構成を示す概略ブロック図である。
図面に示すように、この印刷装置は、採血管用ラベル台紙１と、記憶手段２と、制御手段３と、印字手段４とを備えている。
図１（ｂ）に示すように、採血管用ラベル台紙１は、台紙１ａと、台紙１ａに剥離可能に積層された粘着層を有する表示体１ｂとからなり、前記表示体１ｂは、独立して剥離可能なラベル部分１ｃと、採血管に関する情報を印字すべき情報表示部分１ｄとを有する。
前記記憶手段２には、予め様々な採血管の画像情報と、各採血管に対するラベル貼付位置に関する情報が記憶されている。
前記制御手段３は、ホストコンピュータ等の上位コンピュータから直接又は間接的に患者の採血に関する情報と、同患者の採血に用いる採血管の種類に関する情報とを入力し、前記採血管の種類に関する情報に基づいて記憶手段２に記憶されている画像情報の中から、対応する画像情報と、その採血管に対するラベル貼付位置に関する情報とを選択し、この画像情報及びラベル貼付位置に関する情報を表示体１ｂの情報表示部分１ｄに印字する。
前記制御手段３は、同時に、患者の採血に関する情報を、表示体１ｂのラベル部分１ｃに、文字及びバーコードの形態で印字する。
さらに、本実施例においては、印刷装置は、ラベル部分及び情報表示部分に必要情報を印字した後、次の表示体１ｂに採血指示書を印字するように構成されており、採血管に貼り付けるべきラベルと採血指示書を印刷した後に、両者が一枚の台紙に収まるように適当な切断手段で台紙を切断する。
【０００７】
図２は、上記した採血管用ラベル印刷装置にて印刷された本考案に係る採血管用ラベルの一実施例を示す図である。
図面に示すように、表示体１ｂの情報表示部分１ｄには、ラベルを貼付けすべき採血管の画像が、ラベル貼付位置と共に印字されており、独立して剥離可能なラベル部分１ｃには、患者の採血に関する情報が文字及びバーコードの形態で印字されている。
尚、この実施例では、同じ台紙上に、採血指示書が印字された表示体１ｂがあるが、これは本考案に必須のものではない。
【０００８】
上記した実施例では、記憶手段に、採血管の画像情報と各採血管に対するラベル貼付位置に関する情報とが記憶され、制御手段でホストコンピュータからの情報に基づいて、対応する画像情報とラベル貼付位置に関する情報とを選択する構成を例に挙げて説明をしているが、前記ラベル貼付位置に関する情報は必須のものではなく、必要に応じて、記憶選択できるように構成されていればよく、また、ラベル貼付位置に関する情報は、画像情報と独立して記憶しておく必要はなく、たとえば、ラベル貼付位置を含んだ画像情報として記憶手段に記憶させておいてもよい。
また、上記した実施例では、表示体１ｂの情報表示部分１ｄに、採血管の画像とラベル貼付位置を印字するように構成された印刷装置を例に挙げているが、印刷装置が記憶印刷する情報は、これらの情報のみに限定されることなく、たとえば、図２に示すように、「転倒混和」等の対応する採血管の取り扱いに関する情報や、「紫キャップ」等の採血管の特徴的部分の文字情報を記憶しておき印刷できるように構成してもよい。
尚、前記記憶手段への画像情報の記憶は、たとえば、デジタルカメラ、スキャナ又は通信回線を介した画像情報のダウンロード等の方法で行うことができ、また、必要に応じて、入力した画像情報を任意に加工することができる。
【０００９】
【考案の効果】
以上説明したように、本考案に係る採血管用ラベルは、台紙と、台紙に剥離可能に積層された粘着層を有する表示体とから成るラベルであって、前記表示体が、採血管に貼り付けるべきラベル部分と、このラベル部分を貼り付けるべき採血管に関する情報が印字された情報表示部分とを有し、前記ラベル部分が単独で剥離可能に構成されているので、ラベル貼付作業者が、情報表示部分に印字された情報を参照しながら採血管の選択作業やラベル貼付作業を行うことができるので、採血管の選択ミスやラベル貼付位置の間違い等が生じる可能性を排除することができる。
また、前記情報表示部分に、ラベル部分を貼り付けるべき採血管の画像情報が印字されていると、画像と実際の採血管とを見比べながら採血管の選択が可能になるので採血管の選択ミスをより一層排除することが可能になる。
また、本考案に係る採血管用ラベル印刷装置は、台紙と、台紙に剥離可能に積層された粘着層を有する表示体とから成り、前記表示体が、採血管に貼り付けるべきラベル部分と、このラベル部分を貼り付けるべき採血管に関する情報を表示するべき情報表示部分とを有し、前記ラベル部分が単独で剥離可能に構成されている採血管用ラベル台紙に、患者の採血に関する情報を印字する印刷装置であって、様々な採血管の画像情報を記憶する記憶手段を備え、患者の採血に用いる採血管の種類に関する情報と、採血管に貼り付けるべきラベル部分に印字するための患者の採血に関する情報とを入力し、前記患者の採血に用いる採血管の種類に関する情報に基づいて、前記記憶手段に記憶された画像情報の中から、その採血管に対応する画像を選択し、選択した画像を前記表示体の情報表示部分に印字すると共に、前記ラベル部分に、患者の採血に関する情報を印字するように構成されているので、ラベル貼付作業者による採血管の選択ミスやラベル貼付位置の間違いを生じさせない採血管用ラベルを印刷することが可能になるという効果を奏する。
【図面の簡単な説明】
【図１】（ａ）は、本考案に係る採血管用ラベル印刷装置の構成を示す概略ブロック図であり、（ｂ）は、採血管用ラベル台紙の示す図である。
【図２】本考案に係る採血管用ラベルの一実施例を示す図である。
【符号の説明】
１　採血管用ラベル台紙（採血管用ラベル）
１ａ　台紙
１ｂ　表示体
１ｃ　ラベル部分
１ｄ　情報表示部分
２　記憶手段
３　制御手段
４　印字手段
【図１】
0003098179.tif 000003
【図２】
0003098179.tif 000004
【手続補正書】
【提出日】平成15年7月4日(2003.7.4)
【手続補正１】
【補正対象書類名】明細書
【補正対象項目名】実用新案登録請求の範囲
【補正方法】変更
【補正の内容】
【実用新案登録請求の範囲】
【請求項１】
台紙と、台紙に剥離可能に積層された粘着層を有する表示体とから成るラベルであって、
前記表示体が、採血管に貼り付けるべきラベル部分と、このラベル部分を貼り付けるべき採血管に関する情報が印字された情報表示部分とを有し、
前記ラベル部分が単独で剥離可能に構成されている
ことを特徴とする採血管用ラベル。
【請求項２】
前記情報表示部分に、ラベル部分を貼り付けるべき採血管の画像情報が印字されている
ことを特徴とする請求項１に記載の採血管用ラベル。
【請求項３】
前記情報表示部分に、採血管に対するラベル貼付位置が印字されている
ことを特徴とする請求項１又は２に記載の採血管用ラベル。
【請求項４】
台紙と、台紙に剥離可能に積層された粘着層を有する表示体とから成り、前記表示体が、採血管に貼り付けるべきラベル部分と、このラベル部分を貼り付けるべき採血管に関する情報を表示するべき情報表示部分とを有し、前記ラベル部分が単独で剥離可能に構成されている採血管用ラベル台紙を備え、該採血管用ラベル台紙の表示体に、患者の採血に関する情報を印字する印刷装置であって、
様々な採血管の画像情報を記憶する記憶手段を備え、
患者の採血に用いる採血管の種類に関する情報と、採血管に貼り付けるべきラベル部分に印字するための患者の採血に関する情報とを入力し、
前記患者の採血に用いる採血管の種類に関する情報に基づいて、前記記憶手段に記憶された画像情報の中から、その採血管に対応する画像を選択し、選択した画像を前記表示体の情報表示部分に印字すると共に、前記ラベル部分に、患者の採血に関する情報を印字する
ように構成されている
ことを特徴とする採血管用ラベル印刷装置。
【請求項５】
前記記憶手段が、採血管に対してラベルを貼り付けるべき位置に関する情報を予め記憶しており、
前記表示体の情報表示部分に、画像と共に、貼付け位置を印字する
ように構成されている
ことを特徴とする請求項４に記載の採血管用ラベル印刷装置。
【手続補正２】
【補正対象書類名】明細書
【補正対象項目名】０００４
【補正方法】変更
【補正の内容】
【０００４】
【課題を解決するための手段】
上記した目的を達成するために本考案に係る採血管用ラベルは、台紙と、台紙に剥離可能に積層された粘着層を有する表示体とから成るラベルであって、前記表示体が、採血管に貼り付けるべきラベル部分と、このラベル部分を貼り付けるべき採血管に関する情報が印字された情報表示部分とを有し、前記ラベル部分が単独で剥離可能に構成されていることを特徴とする。
前記情報表示部分には、ラベル部分を貼り付けるべき採血管が印字され得る。
また、情報表示部分に、採血管に対するラベル貼付位置が印字されて得る。
さらに、本考案に係る採血管用ラベル印刷装置は、台紙と、台紙に剥離可能に積層された粘着層を有する表示体とから成り、前記表示体が、採血管に貼り付けるべきラベル部分と、このラベル部分を貼り付けるべき採血管に関する情報を表示するべき情報表示部分とを有し、前記ラベル部分が単独で剥離可能に構成されている採血管用ラベル台紙を備え、該採血管用ラベル台紙の表示体に、患者の採血に関する情報を印字する印刷装置であって、様々な採血管の画像情報を記憶する記憶手段を備え、患者の採血に用いる採血管の種類に関する情報と、採血管に貼り付けるべきラベル部分に印字するための患者の採血に関する情報とを入力し、前記患者の採血に用いる採血管の種類に関する情報に基づいて、前記記憶手段に記憶された画像情報の中から、その採血管に対応する画像を選択し、選択した画像を前記表示体の情報表示部分に印字すると共に、前記ラベル部分に、患者の採血に関する情報を印字するように構成されている。
前記記憶手段に、採血管に対してラベルを貼り付けるべき位置に関する情報を予め記憶させておき、前記表示体の情報表示部分に、画像と共に、貼付け位置を印字するように構成してもよい。


【手続補正３】
【補正対象書類名】明細書
【補正対象項目名】０００９
【補正方法】変更
【補正の内容】
【０００９】
【考案の効果】
以上説明したように、本考案に係る採血管用ラベルは、台紙と、台紙に剥離可能に積層された粘着層を有する表示体とから成るラベルであって、前記表示体が、採血管に貼り付けるべきラベル部分と、このラベル部分を貼り付けるべき採血管に関する情報が印字された情報表示部分とを有し、前記ラベル部分が単独で剥離可能に構成されているので、ラベル貼付作業者が、情報表示部分に印字された情報を参照しながら採血管の選択作業やラベル貼付作業を行うことができるので、採血管の選択ミスやラベル貼付位置の間違い等が生じる可能性を排除することができる。
また、前記情報表示部分に、ラベル部分を貼り付けるべき採血管の画像情報が印字されていると、画像と実際の採血管とを見比べながら採血管の選択が可能になるので採血管の選択ミスをより一層排除することが可能になる。
また、本考案に係る採血管用ラベル印刷装置は、台紙と、台紙に剥離可能に積層された粘着層を有する表示体とから成り、前記表示体が、採血管に貼り付けるべきラベル部分と、このラベル部分を貼り付けるべき採血管に関する情報を表示するべき情報表示部分とを有し、前記ラベル部分が単独で剥離可能に構成されている採血管用ラベル台紙を備え、該採血管用ラベル台紙の表示体に、患者の採血に関する情報を印字する印刷装置であって、様々な採血管の画像情報を記憶する記憶手段を備え、患者の採血に用いる採血管の種類に関する情報と、採血管に貼り付けるべきラベル部分に印字するための患者の採血に関する情報とを入力し、前記患者の採血に用いる採血管の種類に関する情報に基づいて、前記記憶手段に記憶された画像情報の中から、その採血管に対応する画像を選択し、選択した画像を前記表示体の情報表示部分に印字すると共に、前記ラベル部分に、患者の採血に関する情報を印字するように構成されているので、ラベル貼付作業者による採血管の選択ミスやラベル貼付位置の間違いを生じさせない採血管用ラベルを印刷することが可能になるという効果を奏する。